(57)【要約】【課題】樹脂製の基材を用いた感熱ラベルにおいて、感熱ラベラーを簡単な構造とすることができ、ロール状に巻き取られたロール体の状態においてもブロッキングが起こりにくく、しかも、断面非円形容器に装着しても美観を損ねにくい感熱ラベルを提供する。【解決手段】樹脂製の基材５と基材５の裏面５６に設けられる感熱接着剤層６とを備え、断面非円形容器２に対して、巻き付け方向の中途部が貼り付けられた後に、巻き付け方向の両端部がそれぞれ巻き付けられて貼り付けられる感熱ラベル１であって、感熱接着剤層６は、基材５の裏面５６の全域ではなく部分的に設けられており、両端部と少なくとも中途部とにそれぞれ設けられていることを特徴とする。【選択図】図１
2007240724.tif 000002
【特許請求の範囲】
【請求項１】
樹脂製の基材と基材の裏面に設けられる感熱接着剤層とを備え、断面非円形容器に対して、巻き付け方向の中途部が貼り付けられた後に、巻き付け方向の両端部がそれぞれ巻き付けられて貼り付けられる感熱ラベルであって、感熱接着剤層は、基材の裏面の全域ではなく部分的に設けられており、両端部と少なくとも中途部とにそれぞれ設けられていることを特徴とする感熱ラベル。
【請求項２】
容器は断面略矩形であって、感熱接着剤層は、容器の各面に対応して設けてあり、基材の容器の各面に対応する部分の全域ではなく部分的となるように設けられていることを特徴とする請求項１に記載の感熱ラベル。
【発明の詳細な説明】
【技術分野】
【０００１】
本発明は、容器に装着する感熱ラベルに関し、特に、断面非円形容器への装着に適した感熱ラベルに関する。
【背景技術】
【０００２】
従来、断面非円形容器に装着する感熱ラベルとしては、例えば基材が紙製であり、感熱接着剤層が基材の裏面全域に設けられたものが知られている。このような感熱ラベルを断面非円形容器に装着するに際しては、裏面全域に感熱接着剤層を設けた帯体をロール状に巻き取ったロール体から帯体を繰り出し、それを所定長さに裁断した感熱ラベルを加熱して感熱接着剤層を活性化させ、その巻き付け方向の中途部をまず断面非円形容器に貼り付けた後に、巻き付け方向の両端部をそれぞれ巻き付ける。従って、感熱ラベルの全体が感熱接着剤層により断面非円形容器に貼り付けられることとなる。このような装着方法とすると、感熱ラベルを断面非円形容器に装着するための装置（感熱ラベラー）を、非常に簡単な構造とすることができるという利点がある。
【０００３】
ところが、上記のような基材が紙製である感熱ラベルにおいては、商標或いは商品表示等のための印刷層を、基材の表面に設けなければならないので、例えば感熱ラベルを装着した断面非円形容器を搬送している途中などに、感熱ラベルが外部と接触して印刷層が剥がれ、美観を損ねてしまう場合があった。また、紙製の基材であるため、容器を廃棄する際に感熱ラベルを剥そうとすると、感熱ラベルが切れて剥がれにくかった。
【０００４】
そこで、基材の裏面全域に感熱接着剤層が設けられている感熱ラベルにおいて、基材を樹脂製として印刷層の質を向上させ美観を向上させると共に感熱ラベルを剥す際に切れにくくすることが考えられる。
【発明の開示】
【発明が解決しようとする課題】
【０００５】
しかしながら、帯体を巻き取ったロール体においては、感熱接着剤層によって基材同士が貼り付いてしまう所謂ブロッキングが起こり易くなるという問題があった。
【０００６】
また、感熱ラベル全体が断面非円形容器に貼り付けられることによって、透明な樹脂製基材に裏面印刷された感熱ラベルは感熱接着剤を介して容器に密着するので、感熱ラベルのデザイン等が全体的に黒ずんで見えてしまい、その結果、美観を損ねてしまうという問題があった。
【０００７】
そこで、本発明は、上記従来の問題に鑑みてなされ、樹脂製の基材を用いた感熱ラベルベルにおいて、感熱ラベラーを簡単な構造とすることができ、ロール状に巻き取られたロール体の状態においてもブロッキングが起こりにくく、しかも、断面非円形容器に装着しても美観を損ねにくい感熱ラベルを提供することを課題とする。
【課題を解決するための手段】
【０００８】
本発明は、上記課題を解決すべくなされたものであり、本発明に係る感熱ラベルは、樹脂製の基材と基材の裏面に設けられる感熱接着剤層とを備え、断面非円形容器に対して、巻き付け方向の中途部が貼り付けられた後に、巻き付け方向の両端部がそれぞれ巻き付けられて貼り付けられる感熱ラベルであって、感熱接着剤層は、基材の裏面の全域ではなく部分的に設けられており、両端部と少なくとも中途部とにそれぞれ設けられていることを特徴とする。
【０００９】
該構成の感熱ラベルを断面非円形容器に装着するに際しては、その中途部を貼り付けた後に、両端部をそれぞれ巻き付けて貼り付けるのであるが、感熱接着剤層が基材の裏面全域ではなく部分的に設けられているので、断面非円形容器との接着部分は感熱ラベル全体ではなく部分的となる。従って、印刷層を基材と感熱接着剤層との間に設けても、断面非円形容器への接着によるデザイン等の黒ずみが抑制される。
【００１０】
また、感熱ラベルがロール状に巻き取られている状態においては、感熱接着剤層が基材の裏面全域に設けられているのではなく部分的に設けられているので、裏面全域に設けた場合に比して感熱接着剤層の面積が小さくなり、基材同士の間に感熱接着剤層が介在しない領域が形成されることとなる。
【００１１】
特に、容器は断面略矩形であって、感熱接着剤層は、容器の各面に対応して設けてあり、基材の容器の各面に対応する部分の全域ではなく部分的となるように設けられていることが好ましい。
【００１２】
感熱接着剤層が矩形容器の各面に対応して設けられていると、感熱ラベルを容器に装着するに際し、感熱ラベルを容器の各面毎に貼り付けることができ、確実に装着作業を行うことができる。更に、装着作業の際に容器の各面に順次貼り付けながら巻き付けることができるので、作業途中で感熱ラベルが皺になってしまうことがなく、両端部まで正確に貼り付けることができる。従って、装着作業の確実性を向上できると共に良好な装着状態を得ることができる。そのうえ、感熱ラベルを容器に装着した状態では、感熱ラベルが容器の各面に貼り付いた状態となっているので、装着した感熱ラベルが不用意に剥がれ難くなる。
【００１３】
更に、感熱接着剤層は、基材の容器の各面に対応する部分の全域ではなく部分的となるように設けられているので、感熱ラベルを各面に貼り付けつつもその接着面積を小さく抑えることができる結果、良好な装着状態を得つつ黒ずみを抑制して美観を損ねないようにすることができる。
【発明の効果】
【００１４】
このように、本発明に係る感熱ラベルにあっては、感熱接着剤層が基材の両端部と少なくとも中途部とにそれぞれ設けられているので、感熱ラベルを断面非円形容器に装着するための装置である感熱ラベラーを、非常に簡単な構造とすることができる。
【００１５】
また、感熱接着剤層が樹脂製の基材の裏面の全域ではなく部分的に設けられているので、感熱ラベルが連続して連なった帯体をロール状に巻き取ってもブロッキングが起こりにくく、しかも、デザイン等の黒ずみを抑制でき美観を損ねにくいという効果を奏する。
【発明を実施するための最良の形態】
【００１６】
以下、本発明に係る感熱ラベルの一実施形態について図面を参酌しつつ説明する。
図１に、本実施形態における感熱ラベル１が示されている。該感熱ラベル１は、容器２の周囲に巻き付けて装着して、例えば商品名や商標、或いは模様やデザインや注意書き等を表示するものである。具体的には、図３及び図４に示すように、容器２は、断面形状が非円形である。本実施形態では、容器２は、感熱ラベルを巻き付ける部分の上部に口部３５を有する有底筒状の容器本体３と口部３５を閉塞するキャップ４とを備える。
【００１７】
容器本体３は、その感熱ラベルを巻き付ける部分の断面形状が略矩形である。即ち、容器本体３の外周壁は、第１壁部３１と、第１壁部３１に略平行に対向する第２壁部３２と、第１壁部３１及び第２壁部３２のそれぞれの一端部に連設された第３壁部３３とそれぞれの他端部に連設された第４壁部３４とで形成されている。各壁部３１，３２，３３，３４は、端部付近を除き略平坦な板状であり、外側の面が略平面となっている。また、第１壁部及び第２壁部は、第３壁部及び第４壁部よりも幅広になっている。即ち、容器本体３の断面形状は、略長方形となっている。
【００１８】
感熱ラベル１は、図１及び図２に示すように、樹脂製の基材５と基材５の裏面５６に設けられる感熱接着剤層６とを備えている。具体的には、感熱接着剤層６は、基材５の裏面５６全域ではなく部分的に設けられており、両端部と少なくとも中途部とにそれぞれ設けられている。また、本実施形態では、図２に示すように、基材５の裏面５６の全域に印刷層７が設けられている。尚、基材５の裏面５６とは、感熱ラベル１を容器２に装着した際に内側となる面である。
【００１９】
基材５は、図１に示すように、幅一定で巻き付け方向（長さ方向）の長さが長い略長方形であるが、その巻き付け方向の長さは、図４に示すように、感熱ラベル１を容器本体３に巻き付けたときに、感熱ラベル１の一方の端部の上に他方の端部が重なる程度の長さである。尚、基材５は樹脂からなる、特に延伸、無延伸の非熱収縮性フィルム（例えば、９０℃での熱収縮率が５％以下）であって、例えば、厚さ５０μｍの二軸延伸ポリプロピレンフィルムである。
【００２０】
印刷層７は、例えば、グラビア印刷やフレキソ印刷などの公知の印刷方法によって、基材５の裏面５６に設けられており、商標や商品表示のためのデザイン等を形成している。本実施形態では、印刷層７は、基材５の裏面５６の全域に設けられている。具体的には、図２に示すように、印刷層７は、酸化チタンからなる白色顔料を含有した白インキ層７１と青色や赤色や黒色などのカラーインキ層７２とで構成されており、カラーインキ層７２は、デザイン等に合わせて基材５の裏面５６の所定領域に設けられ、白インキ層７１は、裏面が透けないように基材５の裏面５６全域に設けられている。尚、白インキ層７１は、基材５の裏面５６に部分的に設けてもよい。
【００２１】
感熱接着剤層６は、基材５の裏面５６全域ではなく部分的に設けられており、両端部と少なくとも中途部とにそれぞれ設けられている。具体的には、図４に示すように、感熱ラベル１を容器２に装着した状態において、基材５の第１壁部３１に対応する部分（第１対応部５１）に第１感熱接着剤層６１が設けられ、第２壁部３２に対応する部分（第２対応部５２）に第２感熱接着剤層６２が設けられ、第３壁部３３に対応する部分（第３対応部５３）に第３感熱接着剤層６３が設けられている。更に、第２対応部５２に連続し第４壁部３４に対応する部分（第４対応部５４）に第４感熱接着剤層６４が設けられ、第１対応部５１に連続し第４壁部３４に対応する部分（第５対応部５５）に第５感熱接着剤層６５が設けられている。
【００２２】
つまり、第４感熱接着剤層６４と第５感熱接着剤層６５とは、基材５の両端部に設けられている。即ち、図４のように、感熱ラベル１は、基材５の一方の端部が第５感熱接着剤層６５によって容器本体３の第４壁部３４に貼り付けられ、他方の端部が第４感熱接着剤層６４によって一方の端部の上に重ね合わせられて貼り付けられている。また、両端部に設けられている第４感熱接着剤層６４と第５感熱接着剤層６５との間には、中途部の感熱接着剤層としての第１感熱接着剤層６１が設けられているが、この点については後述する。このように、基材５には感熱接着剤層６が設けられていない部分が存在し、各感熱接着剤層６１，６２，６３，６４，６５は互いに離間して設けられている。尚、図１において、基材５の各対応部５１，５２，５３，５４，５５の境界をそれぞれ二点鎖線にて示している。
【００２３】
第１感熱接着剤層６１は、第１対応部５１の幅方向と長さ方向のそれぞれの略中央の領域に設けられており、第２感熱接着剤層６２は、第２対応部５２の幅方向と長さ方向のそれぞれの略中央の領域に設けられている。第３感熱接着剤層６３は、第３対応部５３の幅方向に一対設けられている。具体的には、第３感熱接着剤層６３は、第３対応部５３の幅方向両端部にそれぞれ設けられている。また、第４感熱接着剤層６４と第５感熱接着剤層６５とは、第４対応部５４及び第５対応部５５の全幅に亘って、巻き付け方向（長さ方向）に所定の幅を有して形成されており、それぞれ基材５の端縁と面一となっている。このように第４感熱接着剤層６４と第５感熱接着剤層６５とが基材５の全幅に亘ってしかも基材５の端縁と面一となるように設けられることにより、両端部同士を貼り付けて容器本体３に装着した感熱ラベル１が強固な装着状態となって剥がれ難くなる。
【００２４】
尚、各感熱接着剤層６１，６２，６３，６４，６５を形成している感熱接着剤層６は、主にベース樹脂と粘着付与剤とを有する感熱接着剤である。本発明では、加熱した後に熱源を放しても、しばらくの間、粘着性，接着性が持続する感熱接着剤が好ましく、例えばアクリル系樹脂をベース樹脂とし水添テルペン系樹脂を粘着付与剤として、これに添加剤として固体可塑剤を混入することによって、ディレードタック性を付与したディレードタック系接着剤である。
【００２５】
また、感熱接着剤層６は、印刷層７を介して基材５の裏面５６に設けられている。具体的には、図２に示すように、感熱接着剤層６は、カラーインキ層７２に対応するように白インキ層７１の裏面に設けられている。本実施形態では、感熱接着剤層６１，６２，６３は、その塗布領域がカラーインキ層７２の塗布領域とほぼ等しい領域となるように、カラーインキ層７２の裏面側に白インキ層７１を介して設けられており、特に、カラーインキ層７２のうち色の濃い領域に設けられている。一方、感熱接着剤層６４，６５は、カラーインキ層７２が設けられていない領域の白インキ層７１の裏面に設けられている。また、感熱接着剤層６は、グラビア印刷やフレキソ印刷等の印刷方法で形成するのが好ましく、特に、印刷層７を形成する印刷工程において形成するのが好ましい。尚、感熱接着剤層６は、カラーインキ層７２の塗布領域よりも狭い領域となるように形成してもよい。また、感熱接着剤層６を設ける位置は、上記の位置に限定されない。
【００２６】
続いて、以上のような構成の感熱ラベル１の容器２への装着方法について説明する。感熱ラベル１の容器２への装着は、図５に示すように、貼り付け装置８（感熱ラベラー８）によって行う。具体的には、基材９１の裏面に部分的に感熱接着剤層９２を設けた帯体９をロール状に巻き取ったロール体１０から帯体９を繰り出し、裁断手段８１にて所定の長さになるように裁断して感熱ラベル１を得る。そして、得られた感熱ラベル１を搬送ドラム８２を介して加熱ドラム８３に引き渡す。加熱ドラム８３は、吸引部と加熱部とを有し、吸引部にて加熱ドラム８３の外周面に密着するように感熱ラベル１を吸引し、加熱部にて加熱して各感熱接着剤層６１，６２，６３，６４，６５を活性化する。そして、加熱ドラム８３の外周面に沿うように周方向に設けられた加熱手段８４にて加熱して各感熱接着剤層６１，６２，６３，６４，６５を更に活性化する。
【００２７】
そして、搬送されてきた容器２の第１壁部３１に、基材５の中途部に設けられた第１感熱接着剤層６１により第１対応部５１を貼り付ける。即ち、第１感熱接着剤層６１は、巻き付け方向において第４感熱接着剤層６４と第５感熱接着剤層６５との間であって、装着する際に基材５が容器２に対し最初に当接する領域に設けられている。本実施形態では、感熱ラベル１は、まず第１壁部３１に貼り付けるので、第１壁部３１に対応した第１対応部５１に第１感熱接着剤層６１が設けられている。更に、第１感熱接着剤層６１は、第１対応部５１に部分的となるように設けられている。
【００２８】
その後、容器２は加熱ドラム８３よりも搬送方向下流側に設けられている一対のガイド８５の間に進入する。進入する際には、容器２は、第３壁部３３が一方のガイド８５１に第４壁部３４が他方のガイド８５２にそれぞれ対向するように容器２の周方向に回転する。ここで、一方のガイド８５１と第３壁部３３との間に第３対応部５３が挟み込まれ、第３感熱接着剤層６３によって第３対応部５３が第３壁部３３に貼り付けられる。同時に、他方のガイド８５２と第４壁部３４との間に第５対応部５５が挟み込まれ、第５感熱接着剤層６５によって第５対応部５５が第４壁部３４に貼り付けられる。
【００２９】
ここで、第３感熱接着剤層６３は、巻き付け方向において第４感熱接着剤層６４と第５感熱接着剤層６５との間であって、装着する際に基材５の中途部が容器２に貼り付けられた後に貼り付けられる領域に設けられている。本実施形態では、感熱ラベル１は、まず第１壁部３１に貼り付けられた後に第３壁部３３に貼り付けられるので、第３壁部３３に対応した第３対応部５３に第３感熱接着剤層６３が設けられている。更に、第３感熱接着剤層６３は、第３対応部５３に部分的となるように設けられている。
【００３０】
その後、容器２は更に回転しながら搬送される。その途中で、搬送方向に沿うように設置された貼り付け手段８６にて、第２感熱接着剤層６２によって第２対応部５２が第２壁部３２に貼り付けられ、続けて、第４感熱接着剤層６４によって第４対応部５４が第４壁部３４に貼り付けられる。本実施形態では、第４対応部５４は、第５対応部５５を介して第４壁部３４に貼り付けられる。つまり、第４対応部５４は第５対応部５５の上に重なるようにして貼り付けられる。
【００３１】
ここで、第２感熱接着剤層６２は、第４感熱接着剤層６４と第５感熱接着剤層６５との間であって、装着する際に基材５の中途部が容器２に貼り付けられた後に貼り付けられる領域に設けられている。本実施形態では、感熱ラベル１は、まず第１壁部３１に貼り付けられた後に第３壁部３３に貼り付けられ、その後に第２壁部３２に貼り付けられるので、第２壁部３２に対応した第２対応部５２に第２感熱接着剤層６２が設けられている。更に、第２感熱接着剤層６２は、第２対応部５２に部分的となるように設けられている。
【００３２】
以上のような装着方法が可能となるのは、感熱接着剤層６が両端部だけでなく少なくとも中途部にも設けられているからである。そして、このような装着方法とすることにより、断面非円形容器に感熱ラベル１を装着するための感熱ラベラー８の構造が非常に簡単な構造となる。
【００３３】
即ち、断面円形容器（即ち、円筒形容器）の場合には、その中心軸から外周縁までの距離（半径）が一定であるため、容器２が加熱ドラム８３に接した状態で巻き付け方向に回転させれば、感熱ラベル１の一方の端部を断面円形容器に貼り付けた後に、他方の端部を巻き付ける装着方法とすることができる。
【００３４】
ところが、このような装着方法で断面非円形容器に感熱ラベル１を装着しようとすると、断面非円形容器はその中心軸から外周縁までの距離が一定ではないため、加熱ドラム８３に接した状態を維持することができなかったり押圧力が変化したりする結果、感熱ラベル１を容器２に良好に貼り付けることはできない。
【００３５】
そこで、一方の端部を断面円形容器に貼り付けた後に他方の端部を巻き付ける装着方法によって断面非円形容器に感熱ラベル１を装着する際には、例えば、容器と加熱ドラム８３とが接するように容器の巻き付け方向の形状に合わせて容器の搬送経路を変更する機構などのように、容器と加熱ドラム８３とが接した状態を維持することができる機構が必要となるので、感熱ラベラー８の構造が複雑とならざるを得ない。
【００３６】
これに対し、上述のように、まず中途部を貼り付け、その後、両端部を巻き付ける方法とすると、図５に示す感熱ラベラー８の如くガイド８５や貼り付け手段８６を設けておけば、これらに対応するように容器２を回転させて感熱ラベル１を容器２に装着することができ、感熱ラベラー８の構造が非常に簡単になるのである。
【００３７】
また、本実施形態のように、容器２の断面が略矩形であり、略平面の各壁部３１，３２，３３，３４を有し、各感熱接着剤層６１，６２，６３，６４，６５が容器２の各壁部３１，３２，３３，３４に対応して設けられていると、装着作業に際し、まず中途部を一面（壁部）に貼り付け、次に、一面に続く両側の面にガイド８５等により中途部に続く部分を貼り付け、残る一面にも貼り付けるというように、感熱ラベル１を容器２の壁部毎に貼り付けることができる。従って、確実に装着作業を行うことができる。
【００３８】
更に、第１対応部５１を第１壁部３１に貼り付けた後から第４対応部５４を第４壁部３４に貼り付けるまでの間に、第３対応部５３を第３壁部３３に、第２対応部５２を第２壁部３２に順次貼り付けながら巻き付けていくので、装着作業の途中で感熱ラベル１が皺になってしまうことがなく、両端部まで正確に貼り付けることができ、しかも、両端部同士をその重なりがずれることなく貼り付けることができる。従って、装着作業の確実性を向上できると共に良好な装着状態を得ることができる。
【００３９】
しかも、各感熱接着剤層６１，６２，６３，６４，６５は各壁部３１，３２，３３，３４の全域ではなく部分的となるように設けられている。よって、各壁部３１，３２，３３，３４に貼り付けつつもその接着面積を小さく抑えることができるので、良好な装着状態を得つつ黒ずみを抑制して美観を損ねないようにすることができる。
【００４０】
また、感熱ラベル１にあっては、印刷層７を介して設けられている各感熱接着剤層６１，６２，６３，６４，６５が基材５の裏面５６全域に亘るのではなく部分的となるように設けられているので、感熱ラベル１を容器２に装着した状態での、感熱ラベル１と容器２との接着部分が感熱ラベル１全体ではなく部分的となる。よって、基材５の裏面５６全域に設けられている印刷層７は、容器２に対し部分的に貼り付けられることとなるので、接着による印刷層７の黒ずみが抑制され美観を損ねにくくなる。
【００４１】
更に、各感熱接着剤層６１，６２，６３，６４，６５は、印刷層７のうち色の濃い領域を選択して設けている。よって、感熱ラベル１を容器２に装着した状態において、色の薄い領域に設けられている場合に比して、黒ずみをより効果的に抑制することができ美観が更に向上する。
【００４２】
また、感熱ラベル１は、装着状態において各対応部５１，５２，５３，５４，５５が各感熱接着剤層６１，６２，６３，６４，６５によって各壁部３１，３２，３３，３４に貼り付けられた状態となっているので、装着した感熱ラベル１が不用意に剥がれ難くなる。
【００４３】
また更に、帯体９は、感熱接着剤層９２を基材９１の裏面に部分的に備えている。よって、裏面全域に設けた場合に比して感熱接着剤層９２の面積が小さくなり、帯体９をロール状に巻き取ったロール体１０の基材９１同士の間に感熱接着剤層９２が介在しない領域が形成されることとなる。従って、ロール状のまま感熱接着剤層９２によって基材９１同士が貼り付いてしまう所謂ブロッキングが起こりにくくなる。
【００４４】
尚、本実施形態では、容器本体３が断面略長方形である場合について説明したが、これには限られず、楕円形や長円形や長方形以外の多角形であってもよい。尚、楕円形や長円形の場合には、感熱ラベル１を貼り付けるための面全体又は一部が外側に膨らむ曲面となる。
【００４５】
また、本実施形態では、感熱接着剤層６として第１感熱接着剤層６１と第４感熱接着剤層６４と第５感熱接着剤層６５の他に、第２感熱接着剤層６２と第３感熱接着剤層６３とを設ける場合について説明したが、これに限らず、第１感熱接着剤層６１と第４感熱接着剤層６４と第５感熱接着剤層６５の他に、第２感熱接着剤層６２のみを設けてもよいし、第３感熱接着剤層６３のみを設けてもよい。或いは、第２感熱接着剤層６２と第３感熱接着剤層６３とを設けない場合であってもよい。何れにしても、感熱接着剤層６は、基材５の両端部に設けられ、基材５の両端部の間の領域であって装着作業時に容器２に対し基材５が最初に当接する領域（中途部）とに設けられていればよい。
【図面の簡単な説明】
【００４６】
【図１】本発明の一実施形態に係る感熱ラベルを示す正面図。
【図２】図１のＰ−Ｐ線断面図。
【図３】同感熱ラベルを容器に装着した状態を示す正面図。
【図４】図３のＱ−Ｑ線断面図。
【図５】同感熱ラベルの容器への装着方法を示す概略図。
【符号の説明】
【００４７】
１…感熱ラベル、２…容器、３…容器本体、４…キャップ、５…基材、６…感熱接着剤層、７…印刷層、８…貼り付け装置（感熱ラベラー）、９…帯体、１０…ロール体、３１…第１壁部、３２…第２壁部、３３…第３壁部、３４…第４壁部、５１…第１対応部、５２…第２対応部、５３…第３対応部、５４…第４対応部、５５…第５対応部、６１…第１感熱接着剤層、６２…第２感熱接着剤層、６３…第３感熱接着剤層、６４…第４感熱接着剤層、６５…第５感熱接着剤層、７１…白インキ層、７２…カラーインキ層、８１…裁断手段、８２…搬送ドラム、８３…加熱ドラム、８４…加熱手段、８５…ガイド、８６…貼り付け手段
【図１】
2007240724.tif 000003
【図２】
2007240724.tif 000004
【図３】
2007240724.tif 000005
【図４】
2007240724.tif 000006
【図５】
2007240724.tif 000007